(57)【要約】【課題】受皿に蓄積した異物の排出作業の準備や異物の排出作業後の復旧作業にかかる時間を短縮することができるエレベータの乗場装置を提供する。【解決手段】エレベータの乗場出入口に設けられ、エレベータの乗場戸の下部を案内する敷居溝に設けられた異物排出用貫通穴から、敷居溝内の異物を排出する乗場の敷居と、エレベータの昇降路中央側に開口部を有して乗場の敷居の下方に設けられ、乗場の敷居の異物排出用貫通穴から排出された異物を受け入れる受皿と、乗場の敷居及び受皿よりも前記昇降路中央側に設けられ、受皿内に蓄積した異物を、受皿の前記開口部から昇降路へ落下させる清掃装置を挿通するための清掃用貫通穴が、受皿の前記開口部に近接して設けられたトーガードとを備えた。【選択図】図２
2010265055.tif 000002
【特許請求の範囲】
【請求項１】
エレベータの乗場出入口に設けられ、前記エレベータの乗場戸の下部を案内する敷居溝に設けられた異物排出用貫通穴から、前記敷居溝内の異物を排出する乗場の敷居と、
前記エレベータの昇降路中央側に開口部を有して前記乗場の敷居の下方に設けられ、前記乗場の敷居の前記異物排出用貫通穴から排出された異物を受け入れる受皿と、
前記乗場の敷居及び前記受皿よりも前記昇降路中央側に設けられ、前記受皿内に蓄積した異物を、前記受皿の前記開口部から前記昇降路へ落下させる清掃装置を挿通するための清掃用貫通穴が、前記受皿の前記開口部に近接して設けられたトーガードと、
を備えたことを特徴とするエレベータの乗場装置。
【請求項２】
前記受皿内と前記トーガードの前記清掃用貫通穴とに跨って配置され、前記昇降路中央方向に移動することにより、前記受皿側の端部で、前記受皿内に蓄積した異物を、前記受皿の前記開口部から前記昇降路へ掃き出す清掃装置、
を備えたことを特徴とする請求項１記載のエレベータの乗場装置。
【請求項３】
前記清掃装置は、前記トーガードの前記清掃用貫通穴側の端部が、前記トーガードの前記昇降路中央側面に引っ掛って保持されたことを特徴とする請求項２記載のエレベータの乗場装置。
【請求項４】
前記トーガードは、前記清掃用貫通穴がＴ字状に形成され、
前記清掃装置は、前記トーガードの前記清掃用貫通穴側の端部近傍にピンが設けられ、
通常時は、前記清掃用貫通穴側の端部と前記ピンとで、前記トーガードの前記清掃用貫通穴の縦穴下部近傍を挟み込み、
前記受皿内に蓄積した異物の排出時は、上方に移動され、前記ピンが前記トーガードの前記清掃用貫通穴の横穴を介して前記昇降路側へ移動するように、前記昇降路中央側へ引き出されることを特徴とする請求項３記載のエレベータの乗場装置。
【発明の詳細な説明】
【技術分野】
【０００１】
この発明は、エレベータの乗場装置に関するものである。
【背景技術】
【０００２】
従来のエレベータにおいて、乗場の出入口には、乗場の敷居が設けられる。この乗場の敷居上面には、敷居溝が設けられる。この敷居溝には、エレベータの乗場戸の下部が案内される。また、敷居溝には、異物排出用貫通穴が設けられる。この異物排出用貫通穴から、敷居溝内の異物が排出される。この排出された異物は、受皿に受け入れられる。この受皿の昇降路側には、開口部が形成されており、作業員は、トーガードを取り外して、清掃用工具等を用いて、受皿内の異物を昇降路へ排出する（例えば、特許文献１参照）。
【先行技術文献】
【特許文献】
【０００３】
【特許文献１】実開昭５９−１８８２８５号公報
【発明の概要】
【発明が解決しようとする課題】
【０００４】
しかし、特許文献１記載のものは、受皿に蓄積した異物を排出するために、トーガードを取り外す必要があった。このため、異物の排出作業の準備や異物の排出作業後の復旧作業に時間がかかるという問題があった。
【０００５】
この発明は、上述のような課題を解決するためになされたもので、その目的は、受皿に蓄積した異物の排出作業の準備や異物の排出作業後の復旧作業にかかる時間を短縮することができるエレベータの乗場装置を提供することである。
【課題を解決するための手段】
【０００６】
この発明に係るエレベータの乗場装置は、エレベータの乗場出入口に設けられ、前記エレベータの乗場戸の下部を案内する敷居溝に設けられた異物排出用貫通穴から、前記敷居溝内の異物を排出する乗場の敷居と、前記エレベータの昇降路中央側に開口部を有して前記乗場の敷居の下方に設けられ、前記乗場の敷居の前記異物排出用貫通穴から排出された異物を受け入れる受皿と、前記乗場の敷居及び前記受皿よりも前記昇降路中央側に設けられ、前記受皿内に蓄積した異物を、前記受皿の前記開口部から前記昇降路へ落下させる清掃装置を挿通するための清掃用貫通穴が、前記受皿の前記開口部に近接して設けられたトーガードとを備えたものである。
【発明の効果】
【０００７】
この発明によれば、受皿に蓄積した異物の排出作業の準備や異物の排出作業後の復旧作業にかかる時間を短縮することができる。
【図面の簡単な説明】
【０００８】
【図１】この発明の実施の形態１におけるエレベータの乗場装置の縦断面図である。
【図２】この発明の実施の形態１におけるエレベータの乗場装置の要部正面図である。
【図３】図２のＡ−Ａ線における断面図である。
【図４】この発明の実施の形態２におけるエレベータの乗場装置に利用される清掃装置の正面図である。
【図５】この発明の実施の形態２におけるエレベータの乗場装置に利用される清掃装置の側面図である。
【図６】この発明の実施の形態２におけるエレベータの乗場装置に利用される清掃装置の背面図である。
【図７】この発明の実施の形態２におけるエレベータの乗場装置の要部正面図である。
【図８】図７の要部拡大図である。
【図９】この発明の実施の形態２におけるエレベータの乗場装置の要部縦断面図である。
【図１０】この発明の実施の形態２におけるエレベータの乗場装置の清掃装置を利用する状態を示す図７相当図である。
【図１１】この発明の実施の形態２におけるエレベータの乗場装置の清掃装置を利用する状態を示す図９相当図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータの乗場装置の縦断面図である。図２はこの発明の実施の形態１におけるエレベータの乗場装置の要部正面図である。図３は図２のＡ−Ａ線における断面図である。
【００１１】
図１において、１はエレベータの昇降路である。この昇降路１は、建築物の各階を貫く空間からなる。そして、この昇降路１内には、エレベータのかご（図示せず）が配置される。このかごは、昇降路１内を昇降するように構成されている。一方、建築物の各階の昇降路１近傍には、エレベータの乗場２が設けられる。エレベータの利用者は、この乗場２からかごに乗り込んで、所望の階に移動することができる。
【００１２】
３はエレベータの乗場壁である。この乗場壁３は、昇降路１と乗場２と区切る建築物の壁で構成される。この乗場壁３の下方には、エレベータの乗場床４が設けられる。また、乗場壁３の昇降路１側には、乗場出入口の上縁部に沿って、ドアレール５が設けられる。このドアレール５の上には、ローラ６が転動自在に設けられる。このローラ６の昇降路１側には、懸架部材７の上部が固定される。この懸架部材７の下部は、乗場２側に折り曲げられる。この懸架部材７の下部下面には、乗場戸８の上面が固定される。かかる構成により、乗場戸８は、ドアレール５に懸架される。
【００１３】
一方、乗場床４には、乗場出入口の下縁部に沿って、乗場の敷居９が設けられる。この乗場の敷居９の下方には、支持台１０が設けられる。この支持台１０は、乗場床４に埋没された鉄骨（図示せず）に溶接される。これにより、乗場の敷居９は、乗場床４に支持される。かかる乗場の敷居９の上面には、敷居溝１１が、乗場出入口の下縁部に沿って設けられる。これに対し、乗場戸８の下端には、案内子１２が設けられる。この案内子１２は、乗場戸８の開閉動作において、敷居溝１１に摺動自在に案内される。
【００１４】
また、敷居溝１１には、異物排出用貫通穴１３が所定の間隔をもって複数形成される。これらの異物排出用貫通穴１３は、敷居溝１１と支持台１０を鉛直方向に貫通する。そして、これらの異物排出用貫通穴１３の下方対応位置には、複数の受皿１４が設けられる。これらの受皿１４は、支持台１０下面に溶接される。かかる溶接により、支持台１０と受皿１４で箱体を形成している。
【００１５】
また、受皿１４の昇降路１側には、開口部が設けられる。そして、乗場の敷居９及び受皿１４よりも昇降路１中央側には、トーガード１５が配置される。このトーガード１５上部は、ネジ１６によって、乗場の敷居９の昇降路１中央側に固定される。これにより、かごの停止位置精度がばらついても、エレベータの利用者の安全が図られる。
【００１６】
さらに、本実施の形態においては、図２及び図３に示すように、トーガード１５に清掃用貫通穴１７が設けられる。この清掃用貫通穴１７は、受皿１４の開口部に近接して設けられる。この清掃用貫通穴１７は、受皿１４の開口部の面積よりも大きい面積を有する。
【００１７】
かかる構成のエレベータの乗場装置においては、乗場２にかごが到着したときや、乗場２に停車しているかごに乗り込もうとして乗場呼び釦を押したときに、乗場戸８の上方で、ローラ６がドアレール５上を転動する。また、これと同時に、乗場戸８の下方で、案内子１２が敷居溝１１に案内される。これにより、乗場戸８の開閉動作が行われる。
【００１８】
このとき、敷居溝１１内に土砂やゴミ等の異物が落ち込む場合がある。この場合、異物は、直接、異物排出用貫通穴１３から受皿１４に排出されたり、乗場戸８の開閉動作に伴い、案内子１２によって、異物排出用貫通穴１３に運ばれ、受皿１４に排出されたりする。これにより、敷居溝１１に落ち込んだ異物によって、乗場戸８の開閉動作が阻害されることが防止される。
【００１９】
そして、受皿１４に蓄積した異物を排出する際には、作業員により、昇降路１側から、ブラシ等の清掃用工具（図示せず）等からなる汎用の清掃装置が清掃用貫通穴１７に挿通され、受皿１４の開口部から奥側へ差し込まれる。その後、清掃装置が昇降路１中央側に引き戻される。これにより、受皿１４内に蓄積した異物は、受皿１４の開口部から、受皿１４とトーガード１５との間に形成された空間を介して昇降路１へ落下する。
【００２０】
以上で説明した実施の形態１によれば、トーガード１５に、受皿１４の開口部から昇降路１へ落下させる清掃装置を挿通するための清掃用貫通穴１７が設けられる。このため、受け皿に蓄積した異物を排出する際に、トーガード１５を取り外す必要がない。これにより、受皿１４に蓄積した異物の排出作業の準備や異物の排出作業後の復旧作業にかかる時間を短縮することができる。また、取り外したトーガード１５によって、かご内に傷を付けてしまうこともない。
【００２１】
また、トーガード１５の清掃用貫通穴１７は、トーガード１５を持ち運ぶ際の取手として利用することもできる。このため、トーガード１５の搬送や設置の作業性も向上する。
【００２２】
実施の形態２．
図４はこの発明の実施の形態２におけるエレベータの乗場装置に利用される清掃装置の正面図である。図５はこの発明の実施の形態２におけるエレベータの乗場装置に利用される清掃装置の側面図である。図６はこの発明の実施の形態２におけるエレベータの乗場装置に利用される清掃装置の背面図である。
【００２３】
実施の形態１では、ブラシ等の清掃用工具等からなる汎用の清掃装置を用いて、受皿１４内の異物を排出する構成であった。一方、実施の形態２では、専用の清掃装置１８が設けられる。図４に示すように、清掃装置１８には、掃き出し部１９が設けられる。この掃き出し部１９は、受皿１４の開口形状に対応し、略長方形の板状に形成される。この掃き出し部１９の裏面上部中央には、図５に示すように、軸２０の一端が連結される。この軸２０の他端には、取手２１が連結される。
【００２４】
この取手２１は、下方に行くにつれ掃き出し部１９から離れるように傾斜している。また、この軸２０の取手２１近傍外周面には、一対のピン２２が連結される。これらのピン２２は、図６に示すように、取手２１の幅よりも水平方向に突出するように設けられる。かかる構成の掃き出し部１９、軸２０、取手２１、ピン２２は、金属材料からなり、互いに溶接或いは接着により結合されたり、一体成形で形成されたりする。
【００２５】
次に、図７乃至図９を用いて、通常時における清掃装置１８の設置状態を説明する。
図７はこの発明の実施の形態２におけるエレベータの乗場装置の要部正面図である。図８は図７の要部拡大図である。図９はこの発明の実施の形態２におけるエレベータの乗場装置の要部縦断面図である。なお、実施の形態１と同一又は相当部分には同一符号を付して説明を省略する。
【００２６】
図７及び図８に示すように、実施の形態２におけるトーガード１５の清掃用貫通穴２３は、Ｔ字状に形成される。具体的には、清掃用貫通穴２３は、横穴２４と縦穴２５からなる。横穴２４は水平方向に伸びた長穴からなる。縦穴２５は、横穴２４中央から下方に伸びた長穴からなる。
【００２７】
この縦穴２５の幅は、清掃装置１８の軸２０よりも広く、かつ、清掃装置１８の掃き出し部１９の幅よりも狭く形成されている。そして、図９に示すように、この縦穴２５下部の昇降路１側に、取手２１が配置される。これにより、取手２１は、トーガード１５の昇降路１中央側面に引っ掛かって保持される。
【００２８】
また、縦穴２５下部の受皿１４側に、ピン２２が配置される。これにより、ピン２２は、トーガード１５の受皿１４側面に引っ掛かって保持される。即ち、取手２１とピン２２とが、トーガード１５の縦穴２５近傍を挟み込むことにより、清掃装置１８の配置が保持される。
【００２９】
このとき、軸２０は、トーガード１５側から受皿１４内側へ上昇するように配置される。そして、掃き出し部１９は、受皿１４内の奥側に配置される。これにより、取手２１は、トーガード１５の昇降路１側面に沿う状態となる。このため、清掃装置１８の取手２１の昇降路１側への突出量は、極力少ないものとなる。
【００３０】
次に、図１０及び図１１を用いて、清掃装置１８を利用して、受皿１４内に蓄積した異物を排出する方法を説明する。
図１０はこの発明の実施の形態２におけるエレベータの乗場装置の清掃装置を利用する状態を示す図７相当図である。図１１はこの発明の実施の形態２におけるエレベータの乗場装置の清掃装置を利用する状態を示す図９相当図である。
【００３１】
まず、清掃作業を開始する際は、図１０に示すように、作業員により、軸２０とピン２２とがトーガード１５の横穴２４の高さまで移動するように、取手２１が昇降路１側から上方に移動される。これにより、清掃装置１８が水平状態に引き起こされる。そして、図１１に示すように、取手２１が昇降路１側に引き出される。
【００３２】
このとき、ピン２２は、清掃用貫通穴２３の横穴２４を介して昇降路１側へ移動する。これにより、掃き出し部１９が受皿１４底面の乗場２側から昇降路１側へ移動する。この移動により、掃き出し部１９が、受皿１４に蓄積した異物２６を、受皿１４の開口部から昇降路１へ掃き出す。
【００３３】
そして、清掃作業が終了した際は、取手２１が乗場２側に水平方向に押し戻される。取手２１は、トーガード１５の昇降路１側面と接触した後、下方へ移動される。このとき、取手２１とピン２２と間の軸２０の外周面が、縦穴２５に嵌り込む。
【００３４】
以上で説明した実施の形態２によれば、清掃装置１８は、昇降路１側へ引き出されることにより、掃き出し部１９で、受皿１４内に蓄積された異物を、受皿１４の開口部から昇降路１へ掃き出す。このため、受皿１４に蓄積した異物を目視することなく、確実に排出することができ、作業性が向上する。また、別途、清掃用工具を用意する必要がない。このため、清掃用工具の落下や置忘れを心配する必要がない。
【００３５】
さらに、取手２１が、トーガード１５の昇降路１中央側面に引っ掛かって保持される。具体的には、通常時は、取手２１とピン２２とが、トーガード１５の縦穴２５下部近傍を挟み込む。また、受皿１４内に蓄積した異物の排出時は、取手２１が上方に移動され、ピン２２が清掃用貫通穴２３の横穴２４を介して昇降路１側へ移動するように、清掃装置１８が引き出される。このため、昇降路１側からの清掃装置１８の操作が容易となる。
【符号の説明】
【００３６】
１  昇降路、  ２  乗場、  ３  乗場壁、  ４  乗場床、  ５  ドアレール、
６  ローラ、  ７  懸架部材、  ８  乗場戸、  ９  乗場の敷居、１０  支持台、
１１  敷居溝、  １２  案内子、  １３  異物排出用貫通穴、  １４  受皿、
１５  トーガード、  １６  ネジ、  １７  清掃用貫通穴、  １８  清掃装置、  
１９  掃き出し部、  ２０  軸、  ２１  取手、  ２２  ピン、  ２３  清掃用貫通穴、
２４  横穴、  ２５  縦穴、  ２６  異物
【図１】
2010265055.tif 000003
【図２】
2010265055.tif 000004
【図３】
2010265055.tif 000005
【図４】
2010265055.tif 000006
【図５】
2010265055.tif 000007
【図６】
2010265055.tif 000008
【図７】
2010265055.tif 000009
【図８】
2010265055.tif 000010
【図９】
2010265055.tif 000011
【図１０】
2010265055.tif 000012
【図１１】
2010265055.tif 000013